(57)【要約】【課題】臨場感の向上に合わせて視認性を向上させることが可能で、さらに汎用性を有する照明装置及び映像装置用照明システムを提供する。【解決手段】映像装置２０の背景を照明する第１光源部１１と；映像装置の画面よりも外側の鑑賞側の面が発光するように照明する第２光源部１２と；映像装置からのデータを基に照明制御データを生成する演算部１３と；演算部の照明制御データに応じて、前記第１、第２光源部の発光パターンを制御する制御部１４、１５と；を具備する照明装置１０及び映像装置用照明システム３０を構成する。【選択図】        図１
2007220651.tif 000002
【特許請求の範囲】
【請求項１】
映像装置の背景を照明する第１光源部と；
映像装置の画面よりも外側の鑑賞側の面が発光するように照明する第２光源部と；
映像装置からのデータを基に照明制御データを生成する演算部と；
演算部の照明制御データに応じて、前記第１、第２光源部の発光パターンを制御する制御部と；
を具備することを特徴とする照明装置。
【請求項２】
映像装置の背景を照明する第１光源部と；
映像装置の画面周辺部を照明する第２光源部と；
映像装置からのデータを基に照明制御データを生成する演算部と；
演算部の照明制御データに応じて、前記第１、第２光源部の発光パターンを制御する制御部と；
を具備することを特徴とする照明装置。
【請求項３】
前記第２光源部は、映像装置の画面周囲に形成された額縁部に設けられたことを特徴とする請求項１または２に記載の照明装置。
【請求項４】
前記第１光源部は、画面周辺部よりも外側に設けられ、映像装置と連動して機能する機能体に設けられ、前記第２光源部は機能体の鑑賞側の面が発光するように設けられたことを特徴とする請求項１に記載の照明装置。
【請求項５】
前記第２光源部は、色度及び照度を、映像装置の映像データに連動した発光パターンで照明することを特徴とする請求項１ないし４いずれか一に記載の照明装置。
【請求項６】
前記第１光源部及び又は第２光源部は、複数の光源からなるライン状の光源ユニットで構成したことを特徴とする請求項１ないし５いずれか一に記載の照明装置。
【請求項７】
前記第１、第２光源部は、選択手段により発光パターンが選択されて照明することを特徴とする請求項１ないし６いずれか一に記載の照明装置。
【請求項８】
請求項１ないし７いずれか一に記載の照明装置は、映像装置と電気的に接続することが可能な端子部を具備することを特徴とする照明装置。
【請求項９】
請求項１ないし８いずれか一に記載の照明装置と；
映像表示装置及び映像再生装置からなる映像装置と；
を具備することを特徴とする映像装置用照明システム。
【発明の詳細な説明】
【技術分野】
【０００１】
本発明は、映像装置の背景等を照明するための照明装置及び映像装置用照明システムに関する。
【背景技術】
【０００２】
近年、大画面テレビ等、ディスプレイが大型化され、一般家庭においても、臨場感をもった画像を手軽に楽しめるようになってきている。
【０００３】
これら大画面テレビ等の映像装置においては、鑑賞する室内の照明を工夫して、臨場感をより一層高めることが行われている。
【０００４】
この種の照明システムが、例えば、下記の特許文献１〜３に示されている。
【０００５】
特許文献１には、画像表示装置の画像に連動して照明を制御することによって、高い臨場感が得られる照明装置及び照明方法が示されている。
【０００６】
特許文献２には、主要データと共に、テレビのショー、映画等の主要データに関する記述情報を設けることにより、例えば、ホラー映画を見ているときは、周辺光は明るさを下げるなどの周辺光及び照明ユニットを制御する方法およびシステムが示されている。
【０００７】
さらに、特許文献３には、ビデオ信号を処理することにより周囲光の制御を行う方法。この方法を取り入れた装置及びシステムが示されている。
【特許文献１】特開２０００−１７３７８３号公報
【特許文献２】特表２００５−５３１９０９号公報
【特許文献３】特表２００５−５２７１５５号公報
【発明の開示】
【発明が解決しようとする課題】
【０００８】
上記の照明装置または照明システムは、テレビ等の画像表示装置の画面に映し出される画像に連動して、室内の照明を制御し、画面に映し出される画像の臨場感を向上させることを狙ったものである。
【０００９】
この種の大画面テレビ等の画像表示装置においては、臨場感の向上に合わせて、画像の視認性を向上させると共に、鑑賞者の眼の疲労を軽減させることが要望されているが、上記従来の照明装置及び照明システムは、もっぱら臨場感の向上を狙ったもので、視認性の向上と共に、鑑賞者の眼の疲労を軽減させることには到っていない。
【００１０】
また、照明を行う光源や、画像に連動して光源を制御するための照明制御部は、画像表示装置を設置した部屋の条件に合わせて臨場感が最も効果的になるように、部屋自体に組み込んだシステムとして構成したもの、または画像表示装置に一体に組み込んだ照明装置として構成されている。
【００１１】
したがって、これら照明システムまたは一体型に組み込んだ照明装置は、汎用性がなく、使用者は照明システムが設置された特定の部屋、若しくは特定の画像表示装置のみでしか鑑賞することが出来ない。
【００１２】
このため、汎用性を有する照明装置及び照明システムの出現が強く要望されている。
【００１３】
本発明は、上述した問題、課題を解決することを目的とし、臨場感の向上に合わせて視認性を向上させることが可能で、さらに汎用性を有する照明装置及び映像装置用照明システムを提供しようとするものである。
【課題を解決するための手段】
【００１４】
請求項１に記載の照明装置の発明は、映像装置の背景を照明する第１光源部と；映像装置の画面よりも外側の鑑賞側の面が発光するように照明する第２光源部と；映像装置からのデータを基に照明制御データを生成する演算部と；演算部の照明制御データに応じて、前記第１、第２光源部の発光パターンを制御する制御部と；を具備することを特徴とする。
【００１５】
本発明によれば、映像装置の背景を照明する第１光源部と、映像装置の画面よりも外側の鑑賞側の面が発光するように照明する第２光源部を有することにより、臨場感の向上に合わせて視認性を向上させることが可能な照明装置が構成される。
【００１６】
また、光源部、照明制御データを生成する演算部、光源部の発光パターンを制御する制御部を具備する照明装置を構成することにより、映像装置の種類等に依存することなく、照明装置単体として機能する汎用性のある照明装置が構成される。
【００１７】
本発明において、映像装置の背景を照明する第１光源部は、単品で構成しても、また光の３原色であるＲＧＢ単色等の複数の光源で構成してもよく、また光源の種類としては直管形の蛍光ランプや電球形蛍光ランプでも、さらにこれら蛍光ランプに白熱ランプや指向性の高いハロゲンランプや発光ダイオード等を組み合わせてもよく、本発明の照明制御を実現することが可能な全ての光源が許容される。
【００１８】
第１光源部は、複数の光源からなるライン状の光源ユニットに構成し、各ユニットの組み合わせにより、例えば、映像装置背面の壁面に対して、映像装置の上面および下面に対応する位置に、上下並列に並べて配置し、壁面を上下方向に照射するようにしてもよい。
【００１９】
第１光源部による映像装置の背景の照明は、映像の広がり感を得ることによる臨場感の向上と、画面の見やすさ及び鑑賞者の眼の疲労を軽減させるための視認性の向上を達成するための照明であり、この照明を得るための手段は、映像装置の背面側の背景輝度を画面輝度に近似させる発光パターンでも、色度を近似させる発光パターンでも、さらに輝度及び色度を近似させる発光パターンで照明するようにしてもよい。
【００２０】
また、鑑賞の妨げにならないように、映像装置の背景の照射面の位置、大きさ及び照度を調整した発光パターンで照明するようにしてもよい。
【００２１】
さらに、上記の各手段、すなわち、輝度、色度、照射面の位置、大きさ及び照度等の発光パターンを、適宜選択し若しくは組み合わせて目的とする映像装置の背景の照明を得るようにしてもよい。
【００２２】
上述した、これら発光パターンは、映像装置のデータに連動させて照明することが好ましいが、選択された一定の発光パターンで照明するようにしてもよい。
【００２３】
映像装置の背景を照明する第１光源部は、光源が鑑賞者から直接見えないような間接照明となるように配置して、グレアを少なくすると共に、より一層臨場感を向上させるようにしてもよい。
【００２４】
第１光源部を構成する照明器具は、音響装置のスピーカーの機能も兼ねたものであってもよい。
【００２５】
映像装置の画面よりも外側の鑑賞側の面が発光するように照明する第２光源部１２は、単品で構成しても、また光の３原色であるＲＧＢ単色等の複数の光源で構成してもよく、また光源の種類としては、発光ダイオード、液晶、有機ＥＬや冷陰極蛍光ランプ等、さらに映像装置のブラウン管や液晶等の光の一部を導出して光源となすようにしてもよい。
【００２６】
第２光源部は、複数の光源からなるライン状の光源ユニットに構成し、各ユニットの組み合わせにより、例えば、映像装置の左右両側面、左右両側面および上面、さらには全周囲など、自由な場所に設置して、各種の照明環境を構成するようにしてもよい。
【００２７】
また、第２光源部の形態は、映像装置の画面よりも外側の鑑賞側の面が発光するように照明するために、照明する背面の形状に合わせて、例えば、縦に長い矩形状をなす面状光源や、額縁状の面状光源とすることができるが、光源の種類、形態等は特定のものに限定されず、本発明の照明制御を実現することが可能な全ての光源の形態が許容される。
【００２８】
また、鑑賞側の面のみを照明することが好ましいが、側面部等、鑑賞側とは異なる面も照明するようにしてもよい。
【００２９】
なお、ここでいう第２光源部が照明する映像装置の画面より外側の鑑賞側の面とは、第１光源部によって照明された背景からの間接光を遮るように映像装置の背景と鑑賞者との間に設けられて暗部を形成する面をいう。
【００３０】
第２光源部による照明は、映像の広がり感を得ることによる臨場感の向上を達成するための照明であり、この照明を得るための手段は、映像装置の画面より外側の鑑賞側の面の色度及び照度を、映像の色度及び照度に連動させた発光パターンで照明するようにしてもよい。さらに、画面輝度に近似させる発光パターンでも、輝度及び色度を近似させる発光パターンで照明するようにしてもよい。
【００３１】
また、映像装置の画面より外側の鑑賞側の面を複数同時に照明する構成でもよい。
【００３２】
また、これら発光パターンは、映像装置のデータに連動させずに、選択された一定の発光パターンで照明するようにしてもよい。
【００３３】
また、第２光源部は、例えば、画面周辺部にわたる面状光源として構成し、面状光源の位置、大きさ等を調整して映像の広がり感を得るようにしてもよい。
【００３４】
さらに、上記の各手段、すなわち、色度、照度等の発光パターン及び面状光源の位置、大きさ等の調整手段を、適宜選択し若しくは組み合わせて目的とする鑑賞側の面の照明を得るようにしてもよい。
【００３５】
第２光源部と第１光源部の発光パターンが同じ場合、例えば、第１光源部の光の一部を透過または反射させることにより構成してもよい。
【００３６】
さらに、鑑賞者の周辺、あるいは鑑賞者の背後に第１および第２光源部に加えて別光源をさらに設置して、鑑賞者の前方に向けて床面を照射するなど、各種の照明環境を構成するようにしてもよい。
【００３７】
映像装置からのデータは、例えば、映像データ及び又は音響データであり、映像データを基に演算部が、例えば、映像データである画面の各画素ごとのＲＧＢ信号と輝度信号から、画面全体の平均色度と平均輝度等の照明制御データを生成する。
【００３８】
また、音響データを基に演算部が、例えば、音データの全周波数帯の音量から明るさを定義する照明制御データを生成する。
【００３９】
これら照明制御データを基に、映像装置の背景、または映像装置の画面よりも外側の鑑賞側の面を適正に照明するための色度及び輝度等を生成し、ＲＧＢ単色の各蛍光ランプ等の光源部の出力をそれぞれ制御するようにしてもよい。
【００４０】
映像データとしては、画像の各画素ごとのＲＧＢ信号の大きさに基づいて、照明制御データを生成するようにしてもよい。
【００４１】
映像データとしては、画像の各画素ごとに重み付けをした加重平均値などを基に照明制御データを生成するようにしてもよい。
【００４２】
さらに、映像データを得るための手段は、上記に限定されず、例えば、監視カメラ等のセンサ手段によって、外部から映像装置の画面や画像の色度及び輝度情報等を得て、この情報を基に照明制御データを生成してもよい。
【００４３】
演算部の照明制御データに応じて、第１、第２光源部の発光パターンを制御する制御部は、演算部で生成した照明制御データに応じて、映像装置の背景、または映像装置の画面よりも外側の鑑賞側の面の輝度、色度、照射面の位置、大きさ及び照度等を制御するようにしてもよい。
【００４４】
例えば、輝度の制御は、光源部の光出力を調整して制御してもよい。
【００４５】
色度の制御は、ＲＧＢ単色の光源部の光出力を調整し各種の色を自由に変化させるように制御してもよい。
【００４６】
照射面の位置は光源部の光の方向を、大きさは光源部の配光を、例えば光源部の回転動作など、光源の向きをあらゆる方向に変化させることで制御してもよい。照度は、光源部の光出力を調整して制御するようにしてもよい。
【００４７】
音響データとしては、特定の周波数帯の音量に基づいて、照明制御データを生成するようにしてもよい。
【００４８】
音響データを得るための手段は、上記に限定されず、例えば、集音機等のセンサ手段によって、外部から音データを得て、この情報を基に照明制御データを生成してもよい。
【００４９】
さらに、視線追跡装置を付加して、鑑賞者の視線データと映像データ及び又は音響データを基に、照明制御データを生成するようにしてもよい。
【００５０】
また、映像装置の背景、または映像装置の画面よりも外側の鑑賞側の面の輝度、色度、照射面の位置、大きさ及び照度の制御は、複数の光源部を高密度に配置して、より細かな制御を行えるようにしてもよい。
【００５１】
これら、映像装置の背景、または映像装置の画面より外側の鑑賞側の面の輝度、色度、照射面の位置、大きさ及び照度の制御には、人感センサ等によって鑑賞者の「位置」や「人数」等を検知する手段を付加し、鑑賞者に最適な照明環境を提供できるようにしてもよい。
【００５２】
映像装置の背景となる壁面の表面を光沢処理、若しくは梨地処理等を施すことにより、光の反射性能等を制御する手段を付加するようにしてもよい。
【００５３】
また、鑑賞者の視野内に配置される映像装置の画面より外側の鑑賞側の面に、拡散フィルターや減光フィルター、乳白色のカバー等を設置し、グレアの発生を抑制する手段を設けるようにしてもよい。
【００５４】
照明装置は、光源部、照明制御データを生成する演算部、光源部の発光パターンを制御する制御部で構成し、映像装置とは独立した単体の装置として構成することが好ましいが、装置の構成要素である光源部、演算部、制御部が、完全に一体化して映像装置から独立していることが要件ではなく、例えば、光源部が装置から取り外すことが可能になっていても、また光源部、演算部、制御部が、それぞれ接続ケーブル等により固定して接続されていても、端子部で着脱が可能に接続されていてもよい。
【００５５】
さらに、光源部、演算部、制御部、それぞれにおける制御信号は、赤外線や電波を用いてコードレスに構成し、光源部、演算部、制御部を個々に映像装置から独立した構成となし、自由に設置位置等が選択できるように構成してもよく、要は、映像装置の種類等に依存することなく、映像装置から独立して照明装置単体として機能する構成の全てが許容される。
【００５６】
映像装置は、液晶テレビ、プラズマテレビ、ブラウン管テレビ等テレビチューナを有する映像装置でも、またビデオテープレコーダ、ＤＶＤビデオ、ＤＶＤプレーヤー、ＣＤプレーヤー等の映像再生装置と、液晶等のディスプレイからなる映像表示装置が組合された映像装置でも、さらにはスクリーン面に映像を表示するプロジェクタ型の映像装置であってもよい。
【００５７】
請求項２に記載の照明装置の発明は、映像装置の背景を照明する第１光源部と；映像装置の画面周辺部を照明する第２光源部と；映像装置からのデータを基に照明制御データを生成する演算部と；演算部の照明制御データに応じて、前記第１、第２光源部の発光パターンを制御する制御部と；を具備することを特徴とする。
【００５８】
本発明において、映像装置の画面周辺部は、映像装置の外枠、例えば、テレビの画面周囲に形成された額縁部であってもよく、映像装置の画面周囲に、画面と連続した繋がりをもって、連続した映像の広がり感が得られる部分全てが許容される。
【００５９】
請求項３に記載の発明は、請求項１または２に記載の照明装置において、前記第２光源部は、映像装置の画面周囲に形成された額縁部に設けられたことを特徴とする。
【００６０】
本発明において、映像装置の画面周囲に形成された額縁部は、例えば、テレビの画面周囲に形成された額縁部で構成しても、テレビ本体の側面に、別個の額縁状に突出させて設けた枠等であってもよい。
【００６１】
請求項４に記載の発明は、請求項１に記載の照明装置において、前記第１光源部は、画面周辺部よりも外側に設けられ、映像装置と連動して機能する機能体に設けられ、前記第２光源部は機能体の鑑賞側の面が発光するように設けられたことを特徴とする。
【００６２】
機能体とは、第１光源部を構成する照明器具やスピーカー等の映像装置と連動して機能する機器をいう。
【００６３】
請求項５に記載の発明は、請求項１ないし４いずれか一に記載の照明装置において、前記第２光源部は、色度及び照度を、映像装置の映像データに連動した発光パターンで照明することを特徴とする。
【００６４】
請求項６に記載の発明は、請求項１ないし５いずれか一に記載の照明装置において、前記第１光源部及び又は第２光源部は、複数の光源からなるライン状の光源ユニットで構成したことを特徴とする。
【００６５】
請求項７に記載の発明は、請求項１ないし６いずれか一に記載の照明装置において、前記第１、第２光源部は、選択手段により発光パターンが選択されて照明することを特徴とする。
【００６６】
本発明において、選択される発光パターンは、照明装置のＯＦＦモード及びＯＮモードが選択され、ＯＮモードには、映像装置の背景の色度及び輝度を調整した発光パターン、照射面の位置、大きさ及び照度を調整した発光パターン、さらに第１光源部及び又は映像装置の少なくとも鑑賞側の面の色度及び照度を、映像装置の映像データに連動した発光パターン等が許容される。
【００６７】
さらに、鑑賞者の「位置」「人数」等の情報を付加した発光パターンを選択できるようにしてもよい。
【００６８】
請求項８に記載の発明は、請求項１ないし７いずれか一に記載の照明装置は、映像装置と電気的に接続することが可能な端子部を具備することを特徴とする。
【００６９】
本発明において、端子部は、接続ケーブルを着脱可能に接続する手段でも、またはケーブルを用いずに、例えば、プラグイン方式による手段で映像装置と照明装置を直接接続するように構成した端子部であってもよい。
【００７０】
端子部は、ＪＩＳ等で規格化された共通の端子部で構成することが好ましいが、規格化された共通の端子部であることが本発明を構成するための必要条件ではない。
【００７１】
請求項９に記載の映像装置用照明システムの発明は、請求項１ないし８いずれか一に記載の照明装置と；映像表示装置及び映像再生装置からなる映像装置と；を具備することを特徴とする。
【発明の効果】
【００７２】
請求項１の発明によれば、映像装置の背景を照明する第１光源部と、映像装置の画面よりも外側の鑑賞側の面が発光するように照明する第２光源部を有することにより、臨場感の向上に合わせて視認性を向上させることが可能な照明装置を提供することができる。
【００７３】
また、光源部、照明制御データを生成する演算部、光源部の発光パターンを制御する制御部を具備する照明装置を構成することにより、映像装置の種類等に依存することなく、照明装置単体として機能する汎用性のある照明装置を提供することができる。
【００７４】
請求項２の発明によれば、映像装置の背景を照明する第１光源部と、映像装置の画面周辺部を照明する第２光源部を有することにより、臨場感の向上に合わせて視認性を向上させることが可能な照明装置を提供することができる。
【００７５】
請求項３の発明によれば、第２光源部は、映像装置の画面周囲に形成された額縁部に設けるように構成したので、簡易な構成及び操作で、臨場感を向上させることが可能な照明装置を提供することができる。
【００７６】
請求項４の発明によれば、前記第１光源部は、画面周辺部よりも外側に設けられ、映像装置と連動して機能する機能体に設けられ、前記第２光源部は機能体の鑑賞側の面が発光するように設けるように構成したので、簡易な構成及び操作で、臨場感を向上させることが可能な照明装置を提供することができる。
【００７７】
請求項５の発明によれば、第２光源部は、映像装置の画面周辺部の色度及び照度を、映像装置の映像データに連動した発光パターンで照明するように構成したので、臨場感を向上させることが可能な照明装置を提供することができる。
【００７８】
請求項６の発明によれば、第１光源部及び又は第２光源部は、複数の光源からなるライン状の光源ユニットで構成したので、自由な場所に設置して各種の照明環境を構成することが可能となる。
【００７９】
請求項７の発明によれば、第１、第２光源部は、選択手段により発光パターンが選択されて照明するように構成したので、鑑賞者の好みに合わせて簡易な構成及び操作で、臨場感の向上に合わせて視認性を向上させることが可能な照明装置を提供することができる。
【００８０】
請求項８の発明によれば、映像装置と電気的に接続することが可能な端子部を具備する構成したので、簡易な構成及び操作で、映像装置の種類等に依存することなく、照明装置単体として機能する汎用性のある照明装置を提供することができる。
【００８１】
請求項９の発明によれば、臨場感の向上に合わせて視認性を向上させることが可能な映像装置用照明システムを提供することができると共に、映像装置の種類等に依存することなく、照明装置単体として機能する汎用性のある映像装置用照明システムを提供することができる。
【発明を実施するための最良の形態】
【００８２】
以下、本発明の照明装置及び映像装置用照明システムの実施形態につき説明する。
【実施例１】
【００８３】
本実施例は、液晶ディスプレイからなる映像表示装置と、テレビチューナ等を内蔵した映像再生装置が組み合わされた薄型テレビからなる映像装置に、映像装置の背景を照明する第１光源部と、映像装置の画面周辺部である額縁部の鑑賞側の面を照明する第２光源部を有する照明装置を組み合わせ、映像装置の映像データを基に照明制御データを生成するように構成した家庭用の映像装置用照明システムであり、その構成を図１〜図６に従い説明する。
【００８４】
１０は本発明の照明装置で、映像装置の背景を照明する第１光源部１１と、映像装置の画面周辺部を照明する第２光源部１２と、映像装置の映像データを基に照明制御データを生成する演算部１３と、演算部の照明制御データに応じて、前記第１光源部１１の発光パターンを制御する制御部１４と、第２光源部の発光パターンを制御する制御部１５とで、映像装置２０とは独立した単体の装置として構成する。
【００８５】
映像装置２０は、本発明の映像表示装置を構成する３２インチの液晶ディスプレイ２１とテレビチューナ等を内蔵した映像再生装置２２で構成する。
【００８６】
さらに、上記に構成した照明装置１０と映像装置２０で映像装置用照明システム３０を構成する。
【００８７】
第１光源部１１は、液晶ディスプレイ２１の背景を照明するもので、光の３原色であるＲＧＢ単色の３本の直管形蛍光ランプ１１ａを、前面に開口部１１ｂを有する長尺のケース１１ｃに縦に３本配置した２台の照明器具１１ｄで構成する。
【００８８】
ケース１１ｃは、内面を反射面となし３本の直管形蛍光ランプ１１ａを支持するソケット１１ｅを有し、開口部１１ｂから蛍光ランプの光を放射するように構成する。
【００８９】
ケース１１ｃは、照明器具１１ｄを回動させるためのモータ１１ｆを内蔵すると共に、上端部及び下端部にＬ字金具からなる固定具１１ｇを軸支して設ける。
【００９０】
２台の照明器具１１ｄは、個々に固定具１１ｇの軸を中心として左右に約１６０度の角度範囲にわたり、モータ１１ｆによって自動的に回動される。
【００９１】
上記に構成された２台の照明器具１１ｄは、液晶ディスプレイ２１両側の背面に１台ずつ、直管形蛍光ランプ１１ａが縦になるように配置して、Ｌ字金具の固定具１１ｇを液晶ディスプレイ２１の上縁部に係合し、容易に着脱できるように取り付ける。
【００９２】
さらに、２台の照明器具１１ｄは、それぞれ接続ケーブル１８ａにより、後述する照明制御部１６の本体ケース１７に設けられた、第１光源部１１の制御部１４の出力端子に接続される。
【００９３】
なお、２台の照明器具１１ｄのケース１１ｃの背面が、２台の照明器具１１ｄの両側に突出して一部が露出する場合には、背面を白色等の淡い色に塗装し、後述する第２光源部１２による画面周辺部の照明に支障とならないように処置する。
【００９４】
これにより、２台の照明器具１１ｄからなる第１光源部１１は、液晶ディスプレイ２１背面側に位置する部屋の壁面Ａを、液晶ディスプレイ２１の画面より大きい照射面で照明するように構成されると共に、モータ１１ｆにより２台の照明器具１１ｄの配光角度を個々に調整することにより、壁面Ａにおける照射面の位置及び大きさを自動的にスムーズに調整することができる。
【００９５】
第２光源部１２は、映像装置２０を構成する液晶ディスプレイ２１の画面周辺部の鑑賞側の面を照明するもので、本実施例における画面周辺部は、液晶ディスプレイ２１の画面周囲に形成された額縁部２１ａで構成する。
【００９６】
第２光源部１２は、画面周辺部を構成する額縁部２１ａに合致する大きさの長方形の外枠１２ａを有する。
【００９７】
この外枠１２ａは、軽量なアルミニウム等の金属または合成樹脂で額縁部２１ａに合致する長方形の枠（額縁）をなす形状に構成し、枠の内周の寸法、換言すれば額縁の開口部の面積は、液晶ディスプレイ２１の寸法、すなわち３２インチ画面と略同一の寸法、面積に形成する。
【００９８】
第２光源部１２は、上記形状の外枠１２ａと、外枠内全周に配置して設けられた透明なガラスまたはアクリル等の透明な合成樹脂からなる導光板１２ｂと、導光板の外周端面の全周に対向して設けられた多数の発光ダイオード１２ｃで額縁状をなす面状光源となし、設置した状態で鑑賞側の面が発光して照明するように構成する。
【００９９】
発光ダイオード１２ｃは、図５（ｂ）に示すように、光の３原色であるＲＧＢ単色の３個の発光ダイオードを組み合わせたモジュールを、導光板１２ｂの外周端面に対向させて、導光板の外周端面全周にわたり上記のモジュール単位で多数配置して構成する。
【０１００】
これにより、発光ダイオード１２ｃの光が導光板１２ｂに導入されて導光板の表面から鑑賞側に向かって放射される。
【０１０１】
上記のように構成した第２光源部１２は、液晶ディスプレイ２１の額縁部２１ａに、面状光源の額縁状をなす長方形の枠を合致させ、さらにＬ字金具からなる固定具１２ｄを液晶ディスプレイ２１の上縁部に係合して容易に着脱できるように取り付ける。
【０１０２】
第２光源部１２は、接続ケーブル１８ｂにより本体ケース１７に設けられた、第２光源部の制御部１５の出力端子に接続し、液晶ディスプレイ２１の画面周辺部を構成する額縁部２１ａの部分を発光ダイオードの点灯によって照明するように構成する。
【０１０３】
なお、額縁状の面状光源からなる第２光源部１２は、各種映像装置におけるディスプレイの画面インチに合わせたものを、使用者が適宜購入できるようにする。
【０１０４】
演算部１３は、映像装置２０に映し出される映像と同期する映像データを基に照明制御データを生成する機能を有するもので、テレビチューナ等を内蔵した映像再生装置２２から映像データを入力し、画面の各画素ごとのＲＧＢ信号と輝度信号を解析し、解析結果から演算処理して画面全体の平均色度と平均輝度に関する照明データを生成し、この照明データからなる信号を、第１、第２光源部の制御部１４、１５に出力する機能を有している
。
【０１０５】
第１光源部の制御部１４は、演算部１３から出力された照明制御データの信号が入力され、その照明データに応じて第１光源部の発光パターンをスムーズに制御する。
【０１０６】
第２光源部の制御部１５にも同様に、演算部１３から出力された照明制御データの信号が入力され、その照明データに応じて第２光源部の発光パターンをスムーズに制御する。
【０１０７】
演算部１３及び制御部１４、１５は、マイクロコンピュータ等からなる電子回路で照明制御部１６を構成し、本体ケース１７内に収納される。
【０１０８】
本体ケース１７には、照明制御部１６における演算部１３の入力部と、映像再生装置２２の出力部とを接続するための端子部１７ａを設け、それぞれを伝送ケーブル１９によって接続して信号の送受信ができるように構成する。
【０１０９】
さらに、本体ケース１７には電源コード（図示せず）が設けられ、照明制御部１６に商用電源から１００Ｖ交流電源が供給される。
【０１１０】
図２中１７ｂは、第１、第２光源部の発光パターンを選択する選択手段としてのスライド型切換スイッチで、切り換え操作をすることにより、照明装置１０の「ＯＦＦモード」及び「ＯＮモード」、ＯＮモードにおける、第１光源部１１による映像装置２０の背景の色度及び輝度を調整した発光パターンで照明する「背景モード１」、映像装置２０の背景の照射面の位置、大きさ及び照度を調整した発光パターンで照明する「背景モード２」。
【０１１１】
さらに、第２光源部１２による映像装置２０の画面周辺部、すなわち額縁部２１ａの色度及び照度を調整した発光パターンで照明する「額縁モード」、さらにこれらの「背景モード１」、「背景モード２」及び「額縁モード」の３者で照明を行う「フルモード」に切り換えることができる。
【０１１２】
１７ｃは、左右に２個設けられた手動の位置調整スイッチで、スイッチを押し続けることにより、第１光源部１１の２台の照明器具１１ｄのモータ１１ｆをそれぞれ作動させ、２台の照明器具１１ｄの配光角度を個々に手動で調整することができる。
【０１１３】
次に、上記に構成した照明装置及び映像装置用照明システムの作動につき説明する。
【０１１４】
家庭のリビングルームに設置された３２インチの液晶ディスプレイを有する映像装置で、ホームシアタとしての照明システムを構成する場合を例に説明する。
【０１１５】
液晶ディスプレイ２１を載置したテレビ台２３に、テレビチューナ等を内蔵した映像再生装置２２と、映像装置２０と独立した単体の照明装置１０を設置する。
【０１１６】
まず、上記に設置された照明装置における第１光源部１１の２台の照明器具１１ｄを、液晶ディスプレイ２１両側の背面に１台ずつ、直管形蛍光ランプ１１ａが縦になるように配置して、Ｌ字金具の固定具１１ｇを液晶ディスプレイ２１の上縁部に係合して支持する。
【０１１７】
この際、２台の照明器具１１ｄの背面が液晶ディスプレイ２１の両側から極力露出しないようにセットする。
【０１１８】
支持された２台の照明器具１１ｄを、接続ケーブル１８ａによって本体ケース１７に設けられた第１光源部１１の制御部１４の出力端子に接続する。
【０１１９】
次に、面状光源からなる第２光源部１２を、液晶ディスプレイ２１の額縁部２１ａに、面状光源の額縁状をなす長方形の枠を合致させ、さらにＬ字金具からなる固定具１２ｄを液晶ディスプレイ２１の上縁部に係合して支持し、発光面が鑑賞側に面するように設置する。
【０１２０】
支持された第２光源部１２を、接続ケーブル１８ｂによって本体ケース１７に設けられた第２光源部の制御部１５の出力端子に接続する。
【０１２１】
次に、本体ケース１７の端子部１７ａと映像再生装置２２の出力部とを伝送ケーブル１９によって接続し、電源コードを商用電源に接続する。
【０１２２】
これにより、映像装置２０への照明装置１０のセットが完了し、リビングルームでのホームシアタ用照明システムが構成される。
【０１２３】
次に、映像装置２０の電源をＯＮし、照明装置の切換スイッチ１７ｂを０Ｎモードに入れる。
【０１２４】
これにより、映像装置２０の映像再生装置２２から映像表示装置２１と照明装置１０の演算部１３に映像データが伝送されると共に、第１光源部１１及び第２光源部１２が点灯する。
【０１２５】
第１光源部１１は、直管形蛍光ランプ１１ａが点灯し、液晶ディスプレイ２１の背面側の壁面Ａを、初期設定である左右に約１２０度の角度をもった白色の光で照明する。
【０１２６】
第２光源部１２は、発光ダイオード１２ｃが点灯して、額縁状の面状光源が初期設定である白色に点灯し、液晶ディスプレイ２１の画面周辺部を構成する額縁部２１ａが鑑賞者側に向かって白く発光する。
【０１２７】
この際、第１光源部１１は、左右に２個設けられた手動の位置調整スイッチ１７ｃを押して、２台の照明器具１１ｄのモータ１１ｆを作動させ、２台の照明器具１１ｄの配光角度を個々に調整し、液晶ディスプレイ２１背面側の壁面Ａが左右均等に照明されるように調整する。
【０１２８】
次に、映像装置のチャンネルを切り換えて鑑賞しようとする番組にあわせ、その番組に合わせた発光パターンを切換スイッチ１７ｂの切り換えで選択する。
【０１２９】
例えば、西部劇の映画であれば、第１光源部１１による「背景モード１」、「背景モード２」及び第２光源部１２による「額縁モード」の３者で照明を行う「フルモード」に切り換える。
【０１３０】
これにより、照明装置１０の演算部１３が、液晶ディスプレイ２１に映し出される画面の各画素ごとのＲＧＢ信号と輝度信号を解析し、解析結果から演算処理して画面全体の平均色度と平均輝度に関する照明データを生成し、この照明データからなる信号を、第１、第２光源部の制御部１４、１５に出力する。この際、演算部１３は、グレアとならないよ
うに照明データを作成する。
【０１３１】
第１、第２光源部の制御部１４、１５は、演算部１３から出力された照明制御データの信号が入力され、その照明データに応じて第１、第２光源部の発光パターンをスムーズに制御する。この制御は連続して変わる画面映像に連動してスムーズにリアルタイムで行われる。
【０１３２】
例えば、背景に青空が広がる大平原の画面であれば、画面の画素ごとのＲＧＢ信号を解析して青色系の信号を第１光源部の制御部１４に出力する。同時に画面の輝度信号を解析して画面の輝度に近似した輝度信号を制御部１４に出力する。
【０１３３】
これにより、第１光源部１１により壁面Ａが、液晶ディスプレイ２１よりも大きい照射面で、映し出される画面の輝度に近似した輝度で、青色系の光を発光する発光パターンで照明される。
【０１３４】
これにより、画面及び画面の背面側の壁面Ａが広く青くなり、画面の青空が画面周囲にも連続して広がった状態になり、全体として広がり感のある臨場感をもった照明を行うことができる。
【０１３５】
同時に、壁面Ａの輝度を画面の輝度に近似させたので、暗い部屋でテレビを鑑賞するときのように、背景輝度に比して極端に画面輝度が高い場合などに比し、鑑賞者の眼の疲労を軽減させることができる。
【０１３６】
さらに、ラストシーンなどで青空が広がるような画面になった場合には、ＲＧＢ信号と輝度信号の広がりを演算部１３が解析して照射面の大きさ信号を出力し、２台の照明器具１１ｄのモータ１１ｆを作動させ、２台の照明器具１１ｄの角度を個々に広げて液晶ディスプレイ２１背面側の壁面Ａにおける照射面をスムーズに徐々に広げるようにする。
【０１３７】
これにより、画面の動きに連動した広がり感のある臨場感をもった照明を行うことができる。
【０１３８】
上述した第１光源部１１の各制御において、照射位置は縦方向よりも横方向の広がりをもたせ、照射幅としては液晶ディスプレイ２１の幅と同程度の広がりを左右に持たせ、輝度は液晶ディスプレイ２１の輝度に対して、５０％以上の輝度になるように制御する。
【０１３９】
また、同時に演算部１３が、画面の画素ごとのＲＧＢ信号を解析して青色系の信号を第２光源部の制御部１５に出力する。
【０１４０】
同時に画面の照度信号を解析して画面の照度に近似した照度信号を制御部１５に出力する。
【０１４１】
これにより、第２光源部１２の額縁状をなす面状光源が、液晶ディスプレイ２１に映し出される画面の青空に近似した明るさの青色系の光を発光する発光パターンで点灯し、画面周辺部である額縁部２１ａが鑑賞側に向かって青くなり、画面の青空が黒色の額縁部で遮られて連続性が低減されることがなくなり、第１光源部１１による背景の青色照明と調和して、画面の青空が画面周囲にもスムーズに確実に連続して広がった状態になり、全体として広がり感のある臨場感をもった照明を行うことができる。
【０１４２】
この制御は連続して変わる画面映像に連動してスムーズにリアルタイムで行われる。
【０１４３】
因みに、図６（ａ）に照明状態のイメージ図で示すように、額縁部２１ａが鑑賞者の視野内に入り、背景の発光部以外の額縁部が暗部となって黒色となり、この黒色の額縁部で遮られて画面との連続性、広がり感が低減されるが、図６（ｂ）に示すように画面周辺部である額縁部２１ａを照明することにより、画面との連続性が黒色の額縁部で遮られて低減することがなくなり、画面が画面周囲にも連続して広がった状態になる。
【０１４４】
上記した第２光源部１２の各制御において明るさは、液晶ディスプレイ２１の照度に対して、５０％以上の照度になるように制御する。
【０１４５】
また、第２光源部１２による額縁部２１ａの照明は、第１光源部１１による壁面Ａに対する照明と、同時にしかも連続して変わる画面映像に連動し、調和してスムーズにリアルタイムで行われる。
【０１４６】
このため、図６（ｂ）のイメージ図に示すように、画面周辺部である額縁部２１ａの照明が、映像装置の背景によって遮られることなく、壁面Ａの照明とあいまり、調和して連続した広がり感をより一層効果的に行うことができる。
【０１４７】
因みに、第１光源部１１による照明がなく、映像装置の背景が暗かった場合には、画面周辺部である額縁部２１ａの照明が暗い背景によって遮られてしまい、広がり感をもった臨場感が低下してしまう。
【０１４８】
また、子供が鑑賞するアニメ等の番組の場合には、第２光源部１２による「額縁モード」を省略し、第１光源部１１による「背景モード１」、「背景モード２」の両者、若しくは「背景モード１」のみで照明し、一定の臨場感をもたせた上で、主として子供の眼を疲れさせないようにセットする。
【０１４９】
このモードにセットすれば、「フルモード」に比し、長時間使用されても第２光源部１２が使用されないので省エネとなる。
【０１５０】
このモードは、暗い部屋で通常の番組などを見る場合にも、一定の臨場感をもたせ、かつ眼の疲れを軽減させる照明を行うことができる。
【０１５１】
また、それほど臨場感を必要としないニュース番組などを見る場合には、「背景モード１」を、壁面Ａの色を白色系に固定したモードとなし、「背景モード２」のみを動作させるようにし、省エネモードで眼の疲れを軽減させる照明を行うようにする。
【０１５２】
また、部屋が比較的明るく、壁面が白色系となっている場合には、第２光源部１２による「額縁モード」のみ動作させ、一定の臨場感をもたせた照明を行うようにする。
【０１５３】
本発明の照明装置は、映像装置とは独立した単体の装置として構成されているので、上記のようにリビングルームの映像装置にセットされ使用されていた照明装置を、簡単に取り外して別の部屋の映像装置にセットして使用することができる。
【０１５４】
例えば、照明装置をリビングルームから和室に置かれた３２インチのブラウン管テレビに移動して設置し、和室でのホームシアタ用照明システムを構成する場合を例に説明する。
【０１５５】
まず、電源コードを商用電源から外し、本体ケース１７の伝送ケーブル１９を映像再生装置２２から外す。
【０１５６】
Ｌ字金具の固定具１１ｇを液晶ディスプレイ２１から外し、２台の照明器具１１ｄを液晶ディスプレイ２１から取り外す。
【０１５７】
Ｌ字金具の固定具１２ｄを液晶ディスプレイ２１から外し、第２光源部１２を額縁部２１ａから外す。
【０１５８】
この際、接続ケーブル１８ａ、１８ｂは接続したままにしておく。
【０１５９】
この簡単な操作により、照明装置１０は、映像装置とは独立した単体の装置となる。
【０１６０】
この状態で照明装置を和室に移動し、図４（ｃ）に示すように、第１光源部１１の２台の照明器具１１ｄを、和室のテレビ２０´本体の上縁部にＬ字金具の固定具１１ｇを係合し、ブラウン管ディスプレイ２１´両側の背面に１台ずつ設置する。若しくは、テレビ台２３´の後部に載置して設置する。
【０１６１】
この際、２台の照明器具１１ｄの背面が液晶ディスプレイ２１の両側から極力露出しないようにセットする。
【０１６２】
次に、第２光源部１２をテレビのディスプレイ２１´の額縁部２１ａに合致させてＬ字金具の固定具１２ｄをディスプレイ２１´の上縁部に係合して支持する。
【０１６３】
次に、本体ケース１７の伝送ケーブル１９をテレビ２０´の出力部に接続し、電源コードを商用電源に接続する。
【０１６４】
この簡単な操作により、和室のテレビへの照明装置のセットが完了し、和室でのホームシアタ用照明システムが構成される。
【０１６５】
以後の作動は、上述したリビングルームにおけると同様、テレビの画面映像に連動した臨場感を向上させるための照明が行われる。
【０１６６】
なお、他の部屋の画面インチが異なるテレビに照明装置を組み合わせる場合には、第２光源部１２は、設置するテレビの画面インチに合ったものを別途用意して構成するが、他の構成要素、部品等は上述した同様の手順、方法で画面インチの異なる映像装置と組み合わせてシステムを構成することができる。
【０１６７】
以上、本実施例によれば、照明装置１０の演算部１３が、液晶ディスプレイ２１に映し出される画面の各画素ごとのＲＧＢ信号と輝度信号を解析し、画面全体の平均色度と平均輝度に関する照明データを生成し、この照明データに応じて第１、第２光源部１１、１２の発光パターンを制御するようにした。
【０１６８】
これにより、第１光源部１１により液晶ディスプレイ２１の背面側の壁面Ａが、液晶ディスプレイ２１に映し出される画面の輝度に近似した輝度で、かつ画面の色に近似した光を発光する発光パターンで照明され、広がり感のある臨場感をもった照明を行うことができる。
【０１６９】
同時に、壁面Ａの輝度を画面の輝度に近似させたので、臨場感の向上に合わせて視認性を向上させることができ、鑑賞者の眼の疲労を軽減させることができる。
【０１７０】
さらに、ラストシーンなどで広がるような画面になった場合には、液晶ディスプレイ２１背面側の壁面Ａにおける照射面を徐々に広げるようにしたので、画面の動きに連動した広がり感のある臨場感をもった照明を行うことができる。
【０１７１】
また、演算部１３が、画面の画素ごとのＲＧＢ信号を解析して画面の色に近似した光を発光する信号を第２光源部の制御部１５に出力し、同時に画面の照度信号を解析して画面の照度に近似した照度信号を制御部１５に出力し、第２光源部１２の発光パターンを制御するようにした。
【０１７２】
これにより、第２光源部１２の額縁状をなす面状光源が、液晶ディスプレイ２１に映し出される画面の色に近似した明るさの光を発光する発光パターンで点灯し、画面の色が画面周囲にも確実に連続して広がった状態になり、全体として広がり感のある臨場感をもった照明を行うことができる。
【０１７３】
また、第２光源部１２による額縁部２１ａの照明は、第１光源部１１による壁面Ａに対する照明と、同時にしかも連続して変わる画面映像に連動し、調和してスムーズにリアルタイムで行われ、額縁部２１ａの照明が、映像装置の背景によって遮られることなく、壁面Ａの照明とあいまり、調和して連続した広がり感をより一層効果的に行うことができる。
【０１７４】
第２光源部１２は、映像装置の画面周囲に形成された額縁部２１ａに設けるように構成したので、第２光源部１２をディスプレイの額縁部に合致させ支持すればよく、簡易な構成及び操作で照明装置が構成される。
【０１７５】
第１、第２光源部１１、１２は、選択手段により発光パターンが選択されて照明するように構成したので、切換スイッチ１７ｂを単に切り換える簡易な構成及び操作で、鑑賞者の好みに合わせた照明を行うことができる。
【０１７６】
第１光源部１１は、２台の照明器具１１ｄを液晶ディスプレイ２１両側の背面に１台ずつ取り付けたので、光源である蛍光ランプが鑑賞者から直接見えることがなく、グレアが少なくなると共に、より臨場感を増すことができる。
【０１７７】
また、照明装置の演算部１３は、映像装置２０に映し出される映像と同期する映像データを基に照明制御データを生成する機能を有しているので、照明装置を制御するために、あらかじめ照明制御データを作成しておく必要がない。
【０１７８】
また、照明装置は、映像装置とは独立した単体の装置として構成されているので、映像装置にセットされ使用されていた照明装置を、簡単に取り外して別の部屋の映像装置にもセットして使用することができ、映像装置の種類等に依存することなく、照明装置単体として機能する汎用性のある照明装置及び映像装置用照明システムを提供することができる。
【０１７９】
照明装置１０には、映像装置２０と電気的に接続することが可能な端子部１７ａを設けたので、映像装置２０の種類等に依存することなく、伝送ケーブル１９を端子部１７ａに単に差し込む簡易な構成及び操作で、映像装置用照明システムを構築することができる。
【０１８０】
本実施例において、第１光源部１１は、３本の直管形蛍光ランプ１１ａを光源として構成したが、ＲＧＢ単色の３個の電球形蛍光ランプを光源としたスポット式の照明器具を構成し、液晶ディスプレイ２１の両側下方に設置して、使用者が手動で照明の方向、照射面の位置、大きさを調整するようにしてもよい。
【０１８１】
照明器具１１ｄを、モータ１１ｆにより自動的に作動させたが、モータを設けずに手動で作動させるようにしてもよい。
【０１８２】
第２光源部１２は、各種映像装置のディスプレイの画面インチに合わせたものを、使用者が適宜購入できるようにしたが、軽量なアルミニウム等の金属または合成樹脂で構成した額縁をなす外枠１２ａの各辺を、カメラ三脚の如く二重の構成となし、スライドさせることにより、各辺の長さを伸縮できるようにして、各種ディスプレイの寸法、面積に合わせることができるように構成してもよい。
【０１８３】
この場合発光ダイオード１２ｃを設けた導光板１２ｂは、伸縮方向に分離できるように構成する。伸ばした場合に額縁に一部に光源がない部分が生じるが、実用上問題のない状態で額縁状の照明は行うことができる。
【０１８４】
これにより、一種類の第２光源部１２を用意するのみで、各種の画面インチに対して共通に用いることができるようになり、汎用性をよりよくすることができる。
【０１８５】
第２光源部１２は、面状光源をディスプレイの正面に設置して構成するので、鑑賞者の視野内に配置され輝度が高くなってグレアが発生するようであれば、導光板１２ｂの前面に拡散フィルターや減光フィルター、乳白色のカバー等を設置してグレアの発生を抑制するようにしてもよい。
【０１８６】
これにより、鑑賞者の視野内に高輝度部が存在しなくなることから、目の疲労が促進されるおそれがなくなる。
【実施例２】
【０１８７】
本実施例は、実施例１と同様の薄型テレビからなる映像装置に、映像装置の背景を照明する第１光源部と、第１光源部の背面に鑑賞側の面を照明する第２光源部を有する機能体としての照明器具を組み合わせて構成した家庭用の映像装置用照明システムであり、その構成を図７〜図１０に従い説明する。
【０１８８】
なお、図７〜図１０には、実施例１と同一部分には同一符号を付してその説明は省略する。
【０１８９】
図７に示すように、本実施例の映像装置２０は、本発明の映像表示装置を構成する３２インチの液晶ディスプレイ２１とテレビチューナ等を内蔵した映像再生装置２２で構成する。
【０１９０】
なお、液晶ディスプレイ２１の額縁部２１ａには、実施例１における第２光源部は設置していない。
【０１９１】
図７（ｂ）に示すように、上記構成の液晶ディスプレイ２１をテレビ台２３の上面に載置し、映像再生装置２２と照明装置１０をテレビ台内に設置し、テレビ台の両側、すなわち、液晶ディスプレイ２１の両側に間隔を有して第１光源部１１を１台ずつ設置する。
【０１９２】
第１光源部１１は、図８に示すように、液晶ディスプレイ２１の背景を照明するもので、光の３原色であるＲＧＢ単色の３本の直管形蛍光ランプ１１ａを、前面に開口部１１ｂを有する長尺で断面が矩形状をなすケース１１ｃ内に、縦に３本配置した２台の機能体としての照明器具１１ｄで構成する。
【０１９３】
２台の照明器具１１ｄを構成するケース１１ｃ内には、３本の直管形蛍光ランプ１１ａの背面に反射板１１ｃ´を、上下にソケット１１ｅを設け、開口部１１ｂから蛍光ランプの光を放射するように構成する。
【０１９４】
さらに、ケース１１ｃの後面に、第１光源部１１の背面、すなわち、鑑賞側の面を照明する第２光源部１２を設ける。
【０１９５】
第２光源部１２は、有機ＥＬを光源として構成され、後面開口１１ｂ´に開口全体を閉塞するように配置され、開口全体が光る面状光源として構成される。
【０１９６】
有機ＥＬの前面には、減光フィルターｆと合成樹脂等で構成した半透明で乳白色のカバーＣからなる減光手段を設けてグレアの発生を防ぎ、鑑賞者が眩しくならないように構成する。
【０１９７】
なお、各種の減光フィルターｆを用意し、これらを差し替えながら光の減光状態を決めるようにしてもよい。
【０１９８】
これにより、前面の開口１１ｂから放射する蛍光ランプの光によって液晶ディスプレイ２１の背景を照明する第１光源部１１が構成され、後面に有機ＥＬから放射される光によって第１光源部１１の背面、すなわち、鑑賞側の面を照明する第２光源部１２が構成され、第２光源部が第１光源部の背面に設けられた照明器具１１ｄが構成される。
【０１９９】
上記に構成された２台の照明器具１１ｄは、図７（ｂ）に示すように、液晶ディスプレイ２１両側に、所定の間隔を有して１台ずつ、直管形蛍光ランプ１１ａが縦になるように配置して設置する。
【０２００】
さらに、２台の照明器具１１ｄは、それぞれ接続ケーブル１８ａにより、第１光源部１１の制御部１４の出力端子に接続される。
【０２０１】
これにより、２台の照明器具１１ｄにおける第１光源部１１で、液晶ディスプレイ２１背面側に位置する部屋の壁面Ａを照明し、第２光源部１２で第１光源部１１の鑑賞側の面を照明する照明装置が構成される。
【０２０２】
上記構成の照明装置を作動させると、実施例１と同様に、映像装置２０の映像再生装置２２から映像表示装置２１と照明装置１０の演算部１３に映像データが伝送されると共に、第１光源部１１及び第２光源部１２が点灯する。
【０２０３】
これにより、第１光源部１１の直管形蛍光ランプ１１ａが点灯し、液晶ディスプレイ２１の背面側の壁面Ａを、左右に約１２０度の角度をもった白色の光で照明する。
【０２０４】
第２光源部１２は、有機ＥＬが点灯して、第１光源部１１の背面、すなわち、鑑賞側の面が白く発光する。
【０２０５】
次に、映像装置のチャンネルを切り換えて鑑賞しようとする番組にあわせ、その番組に合わせた発光パターンを切換スイッチ１７ｂの切り換えで選択する。
【０２０６】
例えば、西部劇の映画であれば、第１光源部１１と第２光源部１２による「フルモード」に切り換える。
【０２０７】
これにより、実施例１と同様に、照明装置１０の演算部１３が、液晶ディスプレイ２１に映し出される画面の各画素ごとのＲＧＢ信号と輝度信号を解析し、解析結果から演算処理して画面全体の平均色度と平均輝度に関する照明データを生成し、この照明データからなる信号を、第１、第２光源部の制御部１４、１５に出力する。この際、演算部１３は、グレアとならないように照明データを作成する。
【０２０８】
これにより、第１光源部１１により壁面Ａが、液晶ディスプレイ２１よりも大きい照射面で、映し出される画面の輝度に近似した輝度で、青色系の光を発光する発光パターンで照明され、画面の青空が画面周囲にも連続して広がった状態になり、全体として広がり感のある臨場感をもった照明を行うことができる。
【０２０９】
また、実施例１と同様に、同時に演算部１３が、画面の画素ごとのＲＧＢ信号を解析して青色系の信号を第２光源部の制御部１５に出力する。
【０２１０】
これにより、第２光源部１２の面状光源をなす有機ＥＬが、液晶ディスプレイ２１に映し出される画面の青空に近似した明るさの青色系の光を発光する発光パターンで点灯し、第１光源部１１の背面が鑑賞側に向かって青くなり、画面の青空が黒色をなす第１光源部１１の背面部で遮られて連続性が低減されることがなくなり、第１光源部１１による背景の青色照明と調和して、画面の青空が画面周囲にもスムーズに確実に連続して広がった状態になり、全体として広がり感のある臨場感をもった照明を行うことができる。
【０２１１】
因みに、図９（ａ）に照明状態のイメージ図で示すように、第１光源部１１の背面部が鑑賞者の視野内に入り、背景の発光部以外の背面部が暗部となって黒色となり、この黒色の背面部で遮られて画面との連続性、広がり感が低減されるが、図９（ｂ）に示すように第１光源部１１の背面部を照明することにより、画面との連続性が黒色で遮られて低減することがなくなり、画面が画面周囲にも連続して広がった状態になる。
【０２１２】
本実施例において、第１光源部と第２光源部の光源を同一にしてもよい。すなわち、図１０に示すように、前後面に開口部１１ｂ、１１ｂ´を有する長尺で断面が矩形状をなすケース１１ｃ内に、縦に３本の直管形蛍光ランプ１１ａを配置し、前後面の開口部１１ｂ、１１ｂ´から蛍光ランプの光が放射されるように構成し、前面の開口部１１ｂから放射される蛍光ランプの光で第１光源部１１を構成し、後面の開口１１ｂ´から放射される蛍光ランプの光を第１光源部１１の背面、すなわち、鑑賞側の面を照明する第２光源部１２として構成する。
【０２１３】
この場合も、第２光源部は、後面の開口１１ｂ´全体が光る面状光源として構成され、その開口１１ｂ´を閉塞するように、減光フィルターｆと合成樹脂等で構成した半透明で乳白色のカバーＣからなる減光手段を設けてグレアの発生を防ぎ、鑑賞者が眩しくならないように構成する。特に本例の場合には、蛍光ランプの光が強いので、さらに減光フィルターｆの枚数を増やしたり、別個の拡散フィルターｆ´を設置して減光機能を高めるようにする。
【０２１４】
この構成によれば、第１光源部１１と第２光源部１２の光源が共通となるので、液晶ディスプレイ２１の背面側の壁面Ａと、第１光源部１１の背面とを同じ発光パターンで照明することができる。
【０２１５】
２台の照明器具１１ｄは、ケース１１ｃを回動させるためのモータを設けて、実施例１と同様に、左右に約１６０度の角度範囲にわたり、モータによって自動的に回動されるように構成してもよい。
【０２１６】
本実施例では、額縁部２１ａには第２光源部は設置しない方式としたが、実施例１と同様に、額縁部２１ａを照明するように構成してもよい。
【０２１７】
また、実施例１において、２台の照明器具１１ｄのケース１１ｃ背面を白色等の淡い色に塗装し、第２光源部１２による画面周辺部の照明に支障とならないように処置したが、この背面を有機ＥＬによる面状光源となして、第２光源部を構成するようにしてもよい。
【０２１８】
また、２台の照明器具１１ｄのケース１１ｃ内に、音響装置のスピーカーを内蔵させ、第１光源部１１がスピーカー機能も備えた機能体としての照明器具として構成し、この器具の背面、すなわち、鑑賞側の面を第２光源部で照明するように構成してもよい。
【０２１９】
その他、本実施例における他の構成、作動、作用効果、変形例等は、実施例１と同様である。
【実施例３】
【０２２０】
本実施例は、第１光源部と第２光源部を複数の光源からなるライン状の光源ユニットで構成した照明装置および映像装置用照明システムであり、その構成を図１１〜図１３に従い説明する。
【０２２１】
なお、図１１〜図１３には、上記各実施例と同一部分には同一符号を付してその説明は省略する。
【０２２２】
本実施例の照明装置を構成する照明器具１１ｄは、図１１に示すように、器具本体１１ｄ１、発光ダイオードからなる光源１１ａ１、透光体１１ｄ２で構成する。
【０２２３】
器具本体１１ｄ１は、アルミニウム等の熱伝導性の良好な金属で、長尺状をなす形状に構成し、上面および両側面を平坦な面にして設置面となし、同様に平坦に形成された下面に光源である発光ダイオード１１ａ１を配設する。
【０２２４】
発光ダイオード１１ａ１は、光の３原色であるＲＧＢ単色の３個の発光ダイオードを組み合わせたモジュールを構成し、このモジュール２個を1列にして配置し、計６個の発光ダイオードで構成する。
【０２２５】
各発光ダイオードは配線基板に実装され、アルミニウム等、熱伝導性の良好な金属で構成された放熱板と共に、器具本体１１ｄ１の下面にネジ等の固定手段によって強固に密着して固定される。
【０２２６】
この６個の発光ダイオードが、長尺な器具本体１１ｄ１の長手方向に均等な間隔をもって配置され、ライン状のモジュールを構成する。
【０２２７】
透光体１１ｄ２は、無色透明のポリカーボネート等の合成樹脂で、断面が略Ｕ字形の長尺をなす形状に構成し、そのＵ字形の開放部分を各発光ダイオード１１ａ１に対向させるように配置して、器具本体１１ｄ１を閉塞するようにして取り付け、長尺状、本実施例では約３００ｍｍの長さの箱状（棒状）をなすライン状の光源ユニットからなる照明器具１１ｄを構成する。
【０２２８】
このライン状の光源ユニットからなる照明器具１１ｄは、ユニット同士を電気的および機械的に直接連結できるように、またはケーブル等で、各ユニット間を離して連結できるように構成する。
【０２２９】
上記に構成された光源ユニットからなる照明器具１１ｄを、複数個用意して組み合わせることにより、各種の照明環境を構成するようにする。
【０２３０】
すなわち、図１２（ａ）に示すように、複数個の光源ユニットからなる照明器具１１ｄを映像装置背面の壁面Ａに対して、映像装置の上面および下面に対応する位置に、上下並列に並べて配置し、第１光源部１１を構成するようにする。
【０２３１】
なお、光源ユニットからなる照明器具１１ｄは、平坦な一側面を壁面Ａに設置し、各発光ダイオード１１ａ１からの光を主として上下方向に放射させるように配置する。
【０２３２】
これにより、実施例１と同様に、映像装置の映像に連動して液晶ディスプレイ２１背面の壁面Ａを、全体として広がり感のある臨場感をもった照明を行い、縦方向視野角を擬似的に広げる効果を持たすことができる。
【０２３３】
同時に、背面全体を照明することで画面と背景との輝度対比を抑えることができ、目の疲労感を低く抑える効果がある。
【０２３４】
特に、照明器具１１ｄは光源ユニットからなり、壁面の上下に自由に配置することができ、壁面全体を上下から照射することも可能となるなり、可変色効果が高くなり、より広がり感のある臨場感を高めた照明を行うことができる。
【０２３５】
この際、光源ユニットからなる照明器具１１ｄは、上下方向だけでなく、透光体１１ｄ２の側面からも一部の光を放射するので、鑑賞側の面も光り、器具自体が壁面の照明の中に目立つことなく溶け込み、器具の存在感を低減させた照明も行うことができる。
【０２３６】
また、図１２(ｂ)に示すように、複数個の光源ユニットからなる照明器具１１ｄを、液晶ディスプレイ２１の額縁部２１ａの左右両側面に配置して、第２光源部１２を構成するようにする。
【０２３７】
なお、光源ユニットからなる照明器具１１ｄの平坦な上面を額縁部２１ａの左右両側面に設置し、各発光ダイオード１１ａ１からの光が主として左右方向に放射させるように配置する。
【０２３８】
これにより、実施例１と同様に、映像装置の映像に連動して液晶ディスプレイ２１の左右方向に光が放射され、臨場感をもった照明を行い、横方向視野角を擬似的に広げる効果を持たすことができる。
【０２３９】
この際、光源ユニットからなる照明器具１１ｄは、左右方向だけでなく、透光体の両側面からも一部の光を放射するので、鑑賞側の面も光り、器具自体が目立つことなく溶け込み、器具の存在感を低減させた照明も行うことができる。
【０２４０】
このため、実施例１、２と同様に、額縁部２１ａにおける鑑賞側の面における照明と合わせて使用することにより、光源ユニットおよび額縁の存在により画面の連続性を損なうことなく、全体として広がり感のある臨場感をもった照明を行うことができる。
【０２４１】
また、同時に照明器具１１ｄは、左右方向だけでなく、透光体１１ｄ２の両側面からも一部の光を放射するので、背景側にも光の一部が放射されて映像装置２１の背景照明も行うことができる。
【０２４２】
さらに、図１２(ｃ)に示すように、複数個の光源ユニットからなる照明器具１１ｄを液晶ディスプレイ２１の額縁部２１ａの左右両側面および上面に、コの字形に配置して、第２光源部１２を構成するようにする。
【０２４３】
これにより、額縁部２１ａの左右両側面の光源ユニットにより、上記図１２(ｂ)と同様の臨場感をもって照明することができると共に、例えば、炎が燃え上がるような場面には、額縁部２１ａの上面側の光源ユニットにより、炎が画面よりも上方向にのぼっていく様を表現することができる。
【０２４４】
さらに、額縁部２１ａの下面側にも、すなわち、全周囲に光源ユニットを設ければ、縦の下方向にも広がる臨場感を与えることもできる。
【０２４５】
さらに、照明器具１１ｄは、小型の光源ユニットからなり、映像装置のすぐ横や背面等、照明器具を設置するスペースがない場合でも、設置することが可能となる。特に、小さな画面の映像装置に対しても、背後からはみ出して設置されるようなことがない。
【０２４６】
また、これらの光源ユニットと同様の照明器具１１ｆを、図１３に示すように鑑賞者Ｘの背後に設置し、鑑賞者の前方に向けて床面を照射するように構成し、実施例１と同様に映像に連動させて床面および鑑賞者の周辺部にも広がり感のある臨場感をさらに付加する照明環境を構成するようにしてもよい。
【０２４７】
これによれば、光源部が鑑賞者の背後に設置されるため、照明器具がグレアの発生源とはならず、鑑賞者の目の疲労を促進するおそれがなくなる。
【０２４８】
この場合、例えば、映像装置２１の画面が暗い場合には、鑑賞者の周辺部が暗くなるように、また逆に画面が明るい場合には鑑賞者の周辺部を明るくするように照明を制御するようにしてもよい。
【０２４９】
なお、図１３中で第１および第２光源部は省略している。
【０２５０】
照明器具１１ｄ、１１ｆは、自由に組み合わせることにより、各種の照明環境を構成するようにしたので、壁面上部や天井面に設置することも可能となり、適用範囲を広げてより一層多様な照明環境を構成することができる。
【０２５１】
実施例１に示す、額縁状をなす第２光源部１２を、本実施例の光源ユニットで構成するようにしてもよい。
【０２５２】
また、映像と連動させずに単体で使用して、壁面や天井面を演出的可変色照明としても利用することが可能で、覚醒度向上やリラックス効果の高い照明環境を作ることもできる。
【０２５３】
本実施例において、第１光源部１１をライン状の光源ユニットで構成したり、第２光源部１２をライン状の光源ユニットで構成したが、第１光源部および第２光源部の両者をライン状の光源ユニットで構成してもよい。
【０２５４】
さらに、実施例１、２に示される形態の第１光源部および第２光源部と組み合わせて構成するようにしてもよい。
【０２５５】
なお、本実施例における他の構成、作動、作用効果、変形例等は、上記各実施例と同様である。
【実施例４】
【０２５６】
本実施例は、上述した各実施例に加え、鑑賞者の「位置」や「人数」等を検知する手段を付加して、鑑賞者に最適な照明環境を提供できるようにした照明装置および映像装置用照明システムであり、その構成を図１４〜図１６に従い説明する。
【０２５７】
なお、図１４〜図１６には、各実施例と同一部分には同一符号を付して説明する。
【０２５８】
照明装置１０は、実施例１と同様の構成を有し、実施例１と同様構成の映像装置２０と組み合わされて映像装置用照明システム３０を構成している。
【０２５９】
４０は、部屋にいる鑑賞者の「位置」と「人数」を検知する人感センサで、赤外線等の熱線を検知する焦電センサからなり、人体の熱線を感知し、検知信号を照明装置１０の演算部１３に伝送する。
【０２６０】
人感センサ４０は、照明装置１０の本体ケース１７前面に設けられ、部屋の鑑賞者側の範囲を検知エリアとするようにセットされる。
【０２６１】
次に、上記に構成された人感センサを備えた照明装置１０の作動を説明する。
【０２６２】
図１５に鑑賞者の位置と照射範囲の例を示す。本発明者の調査によると、臨場感を効果的に向上させるには、次の条件を満たすことが必要であることが分かった。
【０２６３】
照射位置：縦方向よりも横方向の広がりが必要である。
【０２６４】
照射幅  ：ディスプレイ幅と同程度の広がりを左右に持たせる必要がある。
【０２６５】
明るさ  ：ディスプレイの輝度に対して、５０％以上の輝度が必要である。
【０２６６】
本実施例では、上記の条件に従い、鑑賞者の位置に応じて、照射範囲を見かけ上のディスプレイ幅と同程度の広がりを左右に持たせることで、鑑賞者に最適な照明環境を提供できるようにした。
【０２６７】
まず、図１５（ａ）に示すように鑑賞者Ｘが一人で、液晶ディスプレイ２１の略中央に位置して鑑賞する場合を説明する。
【０２６８】
一人の鑑賞者Ｘが部屋に入り、中央の椅子に腰掛け映像装置及び照明装置を作動させると、人感センサ４０が検知エリア内の人の熱を感知する。
【０２６９】
これにより、人感センサ４０は鑑賞者が一人で、液晶ディスプレイ２１の略中央に位置していることを検知し、その検知信号を照明装置の演算部１３に送信する。
【０２７０】
演算部１３は検知信号を解析して、第１光源部１１の照射方向を中央に向ける信号を第１光源部の制御部１４に出力する。
【０２７１】
制御部１４は、照射方向を中央に向ける信号を受けて、第１光源部１１の２台の照明器具１１ｄのモータ１１ｆを作動させ、２台の照明器具１１ｄの配光角度を個々に調整して液晶ディスプレイ２１背面側の壁面Ａにおける照射面を、約１２０度の角度範囲で左右が均等に照明されるようにスムーズに調整する。
【０２７２】
これにより、液晶ディスプレイ２１の幅と同程度の広がりを左右に均等に持たせることができ、鑑賞者Ｘは液晶ディスプレイ２１の画面を正面から左右均等に見ることができると共に、液晶ディスプレイ２１背面側の壁面Ａにおける照射面が左右が均等に横方向へ広がった状態で見ることができる。図中ａは照射目標範囲である。
【０２７３】
これにより、実施例１で説明したような、臨場感にあふれた鑑賞を行うために必要な、最適な照明環境を提供することができた。
【０２７４】
次に、図１５（ｂ）に示すように鑑賞者Ｙが一人で、液晶ディスプレイ２１に向かって左側に位置して鑑賞する場合を説明する。
【０２７５】
一人の鑑賞者Ｙが部屋に入り、左側の椅子に腰掛け映像装置及び照明装置を作動させると、人感センサ４０は鑑賞者が一人で、液晶ディスプレイ２１の左側に位置していることを検知し、その検知信号を照明装置の演算部１３に送信する。
【０２７６】
演算部は検知信号を解析して、第１光源部１１の照射方向を右側に向ける信号を第１光源部の制御部１４に出力する。
【０２７７】
制御部１４は、照射方向を右側に向ける信号を受けて、第１光源部の２台の照明器具１１ｄのモータ１１ｆを作動させ、２台の照明器具１１ｄの配光角度を個々にスムーズに調整して右側に向け、液晶ディスプレイ２１背面側の壁面Ａにおける照射面を、右側に移動させる。なお、照射目標範囲ｂは、図１５（ａ）における鑑賞者一人が略中央に位置した照射目標範囲ａと略等しくする。
【０２７８】
これにより、液晶ディスプレイ２１背面側の壁面Ａにおける照射面が、左は狭く右側に広がった状態となり、左側の鑑賞者に対して照射範囲を見かけ上のディスプレイ幅と同程度の広がりを左右に持たせることができる。
【０２７９】
なお、鑑賞者が一人で、液晶ディスプレイ２１の右側に位置している場合も、上記と左右逆の動作をさせることで、右側の鑑賞者に対しても、照射範囲を見せかけ上のディスプレイ幅と同程度の広がりを左右に持たせることができる。
【０２８０】
これにより、左側の人にも右側の人に対しても、実施例１で説明したような、臨場感にあふれた鑑賞を行うために必要な、最適な照明環境を提供することができた。
【０２８１】
次に、図１５（ｃ）に示すように鑑賞者が二人で、液晶ディスプレイ２１に向かって一人Ｘが略中央に位置し、他の一人Ｙが左側に位置して鑑賞する場合を説明する。
【０２８２】
二人の鑑賞者が部屋に入り、それぞれ中央の椅子及び左側の椅子に腰掛け映像装置及び照明装置を作動させると、人感センサ４０は鑑賞者が二人で、液晶ディスプレイ２１の略中央と左側に位置していることを検知し、その検知信号を照明装置の演算部１３に送信する。
【０２８３】
演算部１３は検知信号を解析して、第１光源部１１の照射方向を略中央と右側に向ける信号を第１光源部の制御部１４に出力する。
【０２８４】
制御部１４は信号を受けて、第１光源部の２台の照明器具１１ｄのモータ１１ｆを作動させ、１台の照明器具１１ｄの配光角度をスムーズに調整して液晶ディスプレイ２１背面側の壁面Ａにおける照射面を、約１２０度の角度範囲で左右が均等に照明されるように調整する。照射目標範囲は、図１５（ａ）における照射目標範囲ａと同様である。
【０２８５】
他の１台の照明器具１１ｄの配光角度をスムーズに調整して右側に向け、液晶ディスプレイ２１背面側の壁面Ａにおける照射面を右側に移動させる。なお、照射目標範囲は、図８（ｂ）における照射目標範囲ｂと同様である。
【０２８６】
これにより、略中央に位置する鑑賞者Ｘに対しては、上記と同様に、液晶ディスプレイ２１の幅と同程度の広がりを左右に均等に持たせることができ、液晶ディスプレイ２１の画面を正面から左右均等に見ることができると共に、液晶ディスプレイ２１背面側の壁面Ａにおける照射面が左右に均等に横方向へ広がった状態で見ることができる。
【０２８７】
また、左側の鑑賞者Ｙに対しても、上記と同様に、液晶ディスプレイ２１背面側の壁面Ａにおける照射面が、左は狭く右側に広がった状態となり、左側の鑑賞者に対して照射範囲を見かけ上のディスプレイ幅と同程度の広がりを左右に持たせることができる。
【０２８８】
なお、鑑賞者がもう一人、液晶ディスプレイ２１の右側に位置している場合も、上記と左右逆の動作をさせることで、右側の鑑賞者に対しても、照射範囲を見せかけ上のディスプレイ幅と同程度の広がりを左右に持たせることができる。
【０２８９】
これにより、鑑賞者が複数人いても、各鑑賞者に対して、実施例１で説明したような、臨場感にあふれた鑑賞を行うために必要な、最適な照明環境を提供することができた。
【０２９０】
本実施例において、照射範囲を見かけ上のディスプレイ幅と同程度の広がりを持たせるために、モータ１１ｆ作動させ自動的に２台の照明器具１１ｄの配光角度を調整して行うようにしたが、モータを設けずに手動で作動させるようにしてもよい。
【０２９１】
この場合には、使用者が手で照明器具のケース１１ｃを動かし、２台の照明器具１１ｄの配光角度を調整すればよい。
【０２９２】
また、照射範囲を見かけ上のディスプレイ幅と同程度の広がりを持たせるために、照射面を右方向若しくは左方向に広げる方法として、２台の照明器具１１ｄの配光角度を調整して行うようにしたが、右側の照明器具１１ｄを消灯し、左側の照明器具１１ｄのみ点灯させることで左側に広がる照射面を、また逆に左側の照明器具１１ｄを消灯し、右側の照明器具１１ｄのみ点灯させることで右側に広がる照射面をそれぞれ作るようにしてもよい
。
【０２９３】
この方法によれば最適な照明環境を提供することができると共に、臨場感を向上させるための不要な部分の照明を省くことが可能となり省エネとなる。
【０２９４】
本実施例において、照明装置における照明制御は、実施例１と同様、第１、第２光源部で映像装置の背景及び映像装置の画面周辺部を照明する方式としたが、実施例２、３に示す方式で照明してもよい。
【０２９５】
さらに、図１６（ａ）にブロック図で示すように、照明装置１０を人感センサ４０、演算部１３、制御部１４及び第１光源部１１のみで構成し、第２光源部１２による画面周辺部の照明は省略する方式となしてもよい。
【０２９６】
また、人感センサ４０を照明装置１０の本体ケース１７に設けたが、図１６（ｂ）に示すように、本体ケースから延長ケーブル４１を介して人感センサを設けるように構成し、部屋の状況等に応じてセンサの設置場所を自由に選択できるようにしてもよい。
【０２９７】
また、人感センサを部屋の天井等に設置して、若しくは既に天井に設置されている人感センサを使用して、有線若しくは赤外線や電波を用いた無線で、検知信号を受信するようにしてもよい。
【０２９８】
また、人感センサに代えてカメラで検知するようにしてもよい。
【０２９９】
なお、本実施例における他の構成、作動、作用効果、変形例等は、上記各実施例と同様である。
【実施例５】
【０３００】
本実施例は、上述した各実施例に、視線追跡装置を付加して、鑑賞者の視線データと映像データを基に、照明制御データを生成するようにしたものであり、その構成を図１７に従い説明する。
【０３０１】
なお、図１７には、各実施例と同一部分には同一符号を付して説明する。
【０３０２】
本実施例は、鑑賞者の画面映像に対する視線を考慮して照明制御を行うもので、高精度な情報受容が可能とされている弁別視野（中心約５度以内の角度）内の映像データを除いた、その他の部位の映像データを基に照明制御データを作成する。
【０３０３】
具体的には、鑑賞者が注意を向けている映像部位を「図」、その他の部位を「地」となるように分離し、「地」となる部分の映像信号を解析し、制御部１４で「地」となる部分の映像データに連動した照明制御データを生成する。
【０３０４】
より具体的には、図１７（ａ）に示すように、照明装置１０は、実施例１と同様構成の映像装置２０と組み合わされて映像装置用照明システム３０を構成する。
【０３０５】
なお、照明装置１０は、図１６（ａ）に示す実施例４の変形例と同様に、演算部１３、制御部１４及び第１光源部１１のみで構成してある。
【０３０６】
視線追跡装置５０は、図１７（ｂ）に示すように、本体ケース１７から延長ケーブル５１を介して設けるように構成し、部屋の状況等に応じて設置場所を自由に選択して設置し、鑑賞者の視線を検知する。
【０３０７】
例えば、図１７（ｂ）に示すような青空Ｓの中に銅像Ｍが建っている映像の場合、鑑賞者は背景の青空よりも銅像を注目して見る。
【０３０８】
視線追跡装置５０は、この鑑賞者の視線を追跡して視線データを演算部１３に伝送する。
【０３０９】
演算部１３は、伝送された視線データと映像再生装置２２からの映像データを基に、視線データから弁別視野Ｅを識別し、弁別視野以外の「地」となる部位における画面の各画素ごとのＲＧＢ信号と輝度信号を解析し、画面全体の平均色度と平均輝度を得て、照明制御データである色度及び輝度を生成し、第１光源部１１の出力を制御する。
【０３１０】
これにより、実施例１と同様に、第１光源部１１により壁面Ａが、液晶ディスプレイ２１よりも大きい照射面で、映し出される画面の輝度に近似した輝度で、青色系の光を発光する発光パターンで照明され、画面及び画面の背面側の壁面Ａが広く青くなり、画面の青空が画面周囲にも連続して広がった状態になり、全体として広がり感のある臨場感をもった照明を行うことができる。
【０３１１】
なお、弁別視野Ｅは、視聴距離が１．５ｍの場合、注視点ａを中心とした直径が約１３ｃｍの範囲である。
【０３１２】
なお、映像データとしては、平均色度と平均輝度に代えて、画像の各画素ごとのＲＧＢ信号の大きさや、各画素ごとに重み付けをした加重平均値などで照明制御データを生成するようにしてもよい。
【０３１３】
照明制御は、実施例１、２、３で示す方式で照明してもよい。
【０３１４】
本実施例を実施例４に組み込み、人感センサ４０及び視線追跡装置５０を共に具備した照明装置を構成してもよい。
【０３１５】
なお、本実施例における他の構成、作動、作用効果、変形例等は、上記各実施例と同様である。
【０３１６】
上記各実施例において、映像装置からのデータは、映像データを基に照明制御データを生成して制御するように構成したが、映像装置の音響データを基に演算部が、例えば、音データの全周波数帯の音量から明るさを定義する照明制御データを生成するように構成するようにしてもよい。
【０３１７】
すなわち、図１８に示すように、映像装置６０の映像再生装置６１から映像表示装置６２に映像データを伝送すると共に、映像再生装置６１から照明装置６３に対し、映像データおよび音響データを伝送する。
【０３１８】
これにより、演算部６４で、映像データ（例えば、輝度や色信号）を基に映像中の代表的な色を定義し、さらに音データの全周波数帯の音量を基に明るさを定義する照明制御データを生成する。
【０３１９】
この照明制御データが制御部６５に伝送され、制御部がこの照明制御データに基づき光源部の発光色を制御し、同時に光源部の明るさを調光制御する。
【０３２０】
この制御部６５からの信号により、例えば、上記の各実施例に示される照明装置の第１光源部６６および第２光源部６７の発光色および明るさが制御されて、臨場感のある照明を行う。
【０３２１】
ここで、音データに基づく明るさは、例えば、次のように定義される。
【０３２２】
音データが大のときは、明るくする。順次音が小さくなるに従って順次暗くして行き、音データが小のときは暗くする。
【０３２３】
これにより、例えば、コンサート画面のときに、音量が大きくなったときに照明を明るくしてよりコンサートの臨場感をもたせることができる。
【０３２４】
また、アクション映画での爆発の画面のとき、明るさを増大して白色の閃光に似た照明を行うようにしてより効果的に臨場感をもたせた照明を行うことができ、迫力感および臨場感のある照明環境を作り出すことができる。
【０３２５】
なお、音響データとしては、特定の周波数帯の音量に基づいて、照明制御データを生成するようにしてもよい。
【０３２６】
また、映像データと組み合わせることなく、音響データのみで照明制御データを生成するようにしてもよい。
【０３２７】
以上、本発明の好適な実施例を説明したが、本発明は上述の各実施例に限定されることなく、本発明の要旨を逸脱しない範囲内において、種々の設計変更を行うことができる。
【図面の簡単な説明】
【０３２８】
【図１】本発明の第１の実施形態における照明装置及び映像装置用照明システムのブロック図。
【図２】同じく照明装置及び映像装置用照明システムを示す図で（ａ）は映像装置用照明システムを概略的に示す正面図、（ｂ）は照明装置の本体ケースの斜視図。
【図３】同じく照明装置の第１光源部を映像装置に設置した状態を示す図で、（ａ）は上面図、（ｂ）は背面図。
【図４】同じく照明装置の第２光源部を映像装置に設置する状態を示す図で、（ａ）は設置する前の状態を示す側面視の斜視図、（ｂ）は設置した状態を示す側面視の斜視図、（ｃ）はブラウン管テレビに第２光源部を設置した状態を示す側面視の斜視図。
【図５】同じく照明装置の第２光源部を示し、（ａ）は正面図、（ｂ）は（ａ）におけるＢ部を拡大して示す断面図。
【図６】同じく照明状態のイメージ図で、（ａ）は額縁部が黒色であった場合のイメージ図、（ｂ）は額縁部を照明した場合のイメージ図。
【図７】本発明の第２の実施形態における照明装置及び映像装置用照明システムを示し、（ａ）はブロック図、（ｂ）は映像装置用照明システムを概略的に示す正面図。
【図８】同じく照明装置の第１光源部を示す図で、（ａ）正面図、（ｂ）は（ａ）におけるＡ−Ａ線に沿う断面図、（ｃ）は一部を切り欠いて示す背面図。
【図９】同じく照明状態のイメージ図で、（ａ）は第１光源部の鑑賞側が黒色であった場合のイメージ図、（ｂ）は第１光源部の鑑賞側を照明した場合のイメージ図。
【図１０】同じく照明装置の第１光源部の変形例を示す縦断面図。
【図１１】本発明の第３の実施形態における照明器具を示し、（ａ）は正面図、（ｂ）は（ａ）におけるＢ-Ｂ線に沿う断面図。
【図１２】同じく照明装置及び映像装置用照明システムを示す図で、（ａ）は映像装置の背面の壁面に照明器具を上下に設置した状態およびその照明状態を示す説明図、（ｂ）は映像装置の両側面に照明器具を設置した状態およびその照明状態を示す説明図、（ｃ）は映像装置の両側面および上面に照明器具を設置した状態およびその照明状態を示す説明図。
【図１３】同じく鑑賞者の背後に照明器具を設置した状態およびその照明状態を示す説明図。
【図１４】本発明の第４の実施形態における照明装置及び映像装置用照明システムを示し、（ａ）はブロック図、（ｂ）は映像装置用照明システムを概略的に示す正面図、（ｃ）は照明装置の本体ケースの斜視図。
【図１５】同じく照明装置及び映像装置用照明システムにおける鑑賞者の位置と照射範囲の関係を上面から見た状態を示す図で、（ａ）は鑑賞者が一人で略中央の位置で鑑賞した場合の説明図、（ｂ）は鑑賞者が一人で左側の位置で鑑賞した場合の説明図、（ｃ）は鑑賞者が二人で、一人が略中央、他の一人が左側の位置で鑑賞した場合の説明図。
【図１６】同じく第４の実施形態における照明装置及び映像装置用照明システムの変形例を示し、（ａ）はブロック図、（ｂ）は映像装置用照明システムを概略的に示す正面図。
【図１７】本発明の第５の実施形態における照明装置及び映像装置用照明システムを示し、（ａ）はブロック図、（ｂ）は弁別視野を説明するための画面例を含めて示した映像用照明システムの概略的な正面図。
【図１８】本発明における照明装置及び映像装置用照明システムの変形例を示すブロック図。
【符号の説明】
【０３２９】
１０  照明装置
１１  第１光源部
１２  第２光源部
１３  演算部
１４  第１光源部の制御部
１５  第２光源部の制御部
２０  映像装置
２１ａ  画面周辺部
３０  映像装置用照明システム
【図１】
2007220651.tif 000003
【図２】
2007220651.tif 000004
【図３】
2007220651.tif 000005
【図４】
2007220651.tif 000006
【図５】
2007220651.tif 000007
【図７】
2007220651.tif 000008
【図８】
2007220651.tif 000009
【図１０】
2007220651.tif 000010
【図１１】
2007220651.tif 000011
【図１２】
2007220651.tif 000012
【図１３】
2007220651.tif 000013
【図１４】
2007220651.tif 000014
【図１５】
2007220651.tif 000015
【図１６】
2007220651.tif 000016
【図１７】
2007220651.tif 000017
【図１８】
2007220651.tif 000018
【図６】
2007220651.tif 000019
【図９】
2007220651.tif 000020